(57)【要約】【課題】遊技機における始動口センサ及び／又は始動口用ハーネスに対する不正を防止すること。【解決手段】球集合板に取り付けられた始動口に入球口した遊技球を検出可能な始動口センサと、制御基板と始動口センサとを配線により連結させた始動口用ハーネスを備えた遊技機において、前記球集合板に取り付けられた始動口センサの取り外し方向の少なくとも一部を覆う被覆板を備え、前記球集合板と被覆板とが球集合板の前面側から固着されている。【選択図】      図１６
2018020253.tif 000002
【特許請求の範囲】
【請求項１】
前面に遊技領域が形成された遊技盤と、
遊技領域に設けられた遊技球が入球可能な始動口と、
遊技盤の裏面に取り付けられると共に始動口に入球したのち遊技盤の裏面側に案内された遊技球を誘導し下方に排出する排出通路が形成された通路板と、
通路板に取り付けられた始動口に入球した遊技球を検出可能な始動口センサと、
始動口センサの検出に基づいて遊技者に有利な特別遊技状態を発生させるか否かの当否抽選を行うように制御される制御基板と、を備えた遊技機において、
前記始動口センサと前記制御基板とは電気的に接続されており、
前記始動口センサの裏面側に配置される部材であって前記通路板に取り付けられる取付板を備え、
前記通路板と前記取付板とを互いに取付操作するための取付部位が前記通路板の前面側に設けられ、取付状態の前記通路板及び前記取付板が前記遊技盤の裏面に設けられた状態において、前記取付部位が、前記遊技盤と前記通路板及び前記取付板とにより覆われており、
前記制御基板を組み付け可能なカバー部材を前記遊技盤の裏面側に備え、
前記カバー部材は前記通路板及び前記取付板を覆うように設けられていることを特徴とする遊技機。
【発明の詳細な説明】
【技術分野】
【０００１】
本発明は、パチンコ機に代表される遊技機に関するものである。
【背景技術】
【０００２】
遊技球が入球可能な始動口と、始動口に入球した遊技球を検出する始動口センサと、を有する始動入賞装置を備えた遊技機がある。このような遊技機には、始動入賞装置の始動口センサを球集合板に配置したものもある。
【０００３】
このような構成の遊技機については、例えば、次の文献を挙げることができる。
【先行技術文献】
【特許文献】
【０００４】
【特許文献１】特開2004―249144。
【発明の概要】
【発明が解決しようとする課題】
【０００５】
上記の遊技機において、始動口センサの検出に基づく当否抽選で当選した場合には特別遊技状態になるため、正規の始動口センサを取り替えたり、始動口用ハーネスを加工したり、偽物にすり替えたりすることによって、意図的に当選させたり当否抽選を多くさせたりする不正行為が行われる虞がある。
【０００６】
本発明は、かかる問題点に鑑みて案出されたものであり、始動口センサ及び/又は始動口用ハーネスに対する不正を防止することを目的とする。
【課題を解決するための手段】
【０００７】
本発明にかかる遊技機は、上記目的を達成するために、
前面に遊技領域が形成された遊技盤と、
遊技領域に設けられた遊技球が入球可能な始動口と、
遊技盤の裏面に取り付けられると共に始動口に入球したのち遊技盤の裏面側に案内された遊技球を誘導し下方に排出する排出通路が形成された通路板と、
通路板に取り付けられた始動口に入球した遊技球を検出可能な始動口センサと、
始動口センサの検出に基づいて遊技者に有利な特別遊技状態を発生させるか否かの当否抽選を行うように制御される制御基板と、を備えた遊技機において、
前記始動口センサと前記制御基板とは電気的に接続されており、
前記始動口センサの裏面側に配置される部材であって前記通路板に取り付けられる取付板を備え、
前記通路板と前記取付板とを互いに取付操作するための取付部位が前記通路板の前面側に設けられ、取付状態の前記通路板及び前記取付板が前記遊技盤の裏面に設けられた状態において、前記取付部位が、前記遊技盤と前記通路板及び前記取付板とにより覆われており、
前記制御基板を組み付け可能なカバー部材を前記遊技盤の裏面側に備え、
前記カバー部材は前記通路板及び前記取付板を覆うように設けられていることを特徴とする。
【発明の効果】
【０００８】
本発明によれば、始動口センサ及び/又は始動口用ハーネスに対する不正を防止することができる。
【図面の簡単な説明】
【０００９】
【図１】本発明にかかる遊技機の一例であるパチンコ機の正面図である。
【図２】本発明にかかる遊技機の一例であるパチンコ機の右側面図である。
【図３】本発明にかかる遊技機の一例であるパチンコ機の平面図である。
【図４】本発明にかかる遊技機の一例であるパチンコ機の外枠に対して内枠、前面枠、セット板を夫々開いた状態を示す斜視図である。
【図５】本発明にかかる遊技機の一例であるパチンコ機の遊技盤の正面図である。
【図６】本発明にかかる遊技機の一例であるパチンコ機の背面図である。
【図７】本発明にかかる遊技機の一例であるパチンコ機のセット板を開いた背面の斜視図である。
【図８】本発明にかかる遊技機の一例であるパチンコ機の基板ユニットを備えた遊技盤の裏面の一方向から見た斜視図である。
【図９】本発明にかかる遊技機の一例であるパチンコ機の基板ユニットを備えた遊技盤の裏面の別の方向から見た斜視図である。
【図１０】本発明にかかる遊技機の一例であるパチンコ機の基板ユニットを備えた遊技盤の背面図である。
【図１１】本発明にかかる遊技機の一例であるパチンコ機の球集合板からスペーサー及び基板ケースを外した状態の斜視図である。
【図１２】本発明にかかる遊技機の一例であるパチンコ機の遊技盤から球集合板を外し、スペーサーを開き、基板ケースを分離した状態の一方向から見た分解斜視図である。
【図１３】本発明にかかる遊技機の一例であるパチンコ機の遊技盤から球集合板とスペーサーを一体として外し、板ケースを分離した状態の別の方向から見た分解斜視図である。
【図１４】本発明にかかる遊技機の一例であるパチンコ機の遊技盤から球集合板を外し、スペーサーを開き、基板ケースを分離した状態の一方向から見た分解斜視図である。
【図１５】本発明にかかる遊技機の一例であるパチンコ機の遊技盤から球集合板を外し、スペーサーを開き、基板ケースを分離した状態の別の方向から見た分解斜視図である。
【図１６】本発明にかかる遊技機の一例であるパチンコ機の遊技盤から球集合板（２層構造）、スペーサー、連結台座部材、基板ケースを分離した状態の分解斜視図である。
【図１７】本発明にかかる遊技機の一例であるパチンコ機に用いる開閉機構のヒンジ金具の拡大斜視図である。
【図１８】本発明にかかる遊技機の一例であるパチンコ機に用いる開閉機構のヒンジ金具を球集合板に取り付ける工程（Ａ）（Ｂ）（Ｃ）（Ｄ）を示す斜視図及び縦断側面図である。
【図１９】本発明にかかる遊技機の一例であるパチンコ機に用いる連結台座部材の分解図である。
【図２０】本発明にかかる遊技機の一例であるパチンコ機に用いる連結台座部材と基板ケースの分解斜視図である。
【図２１】本発明にかかる遊技機の一例であるパチンコ機に用いる別態様の球集合板の排出通路板部と取付板部の分離状態を示す裏面側から見た斜視図である。
【図２２】本発明にかかる遊技機の一例であるパチンコ機に用いる別態様の球集合板の排出通路板部と取付板部とを組み付けた状態を示す裏面側から見た斜視図である。
【図２３】本発明にかかる遊技機の一例であるパチンコ機に用いる別態様の球集合板の排出通路板部と取付板部の分離状態を示す前面側から見た斜視図である。
【図２４】本発明にかかる遊技機の一例であるパチンコ機に用いる別態様の球集合板の排出通路板部と取付板部とを組み付けた状態を示す前面側から見た斜視図である。
【図２５】本発明にかかる遊技機の一例であるパチンコ機に用いる始動口センサ及び始動口用ハーネスの斜視図である。
【図２６】本発明にかかる遊技機の一例であるパチンコ機に用いる球集合板の排出通路板部と取付板部の分離状態を示す拡大斜視図である。
【発明を実施するための形態】
【００１０】
本発明にいう始動口センサとは、始動口から入球した遊技球を検知し、入球があったことを知らせる信号を制御基板に送信するようにしたもので、検知の手段自体は公知の技術に属する。
更に、本発明にかかる遊技機は、手段１として、
前面に遊技領域が形成された遊技盤と、遊技領域に設けられた遊技球が入球可能な始動口と、遊技盤の裏面に取り付けられると共に始動口に入球したのち遊技盤の裏面側に案内された遊技球を誘導し下方に排出する排出通路が形成された球集合板と、球集合板に取り付けられた始動口に入球口した遊技球を検出可能な始動口センサと、始動口センサの検出に基づいて遊技者に有利な特別遊技状態を発生させるか否かの当否抽選を行うように制御される制御基板と、制御基板と始動口センサとを配線により連結させた始動口用ハーネスと、を備えた遊技機において、
前記始動口センサと前記始動口用ハーネスとがコネクタにより接続され、
前記始動口センサに対する前記始動口用ハーネスのコネクタの着脱方向の少なくとも一部を覆う被覆板を備え、
前記球集合板と被覆板とが球集合板の前面側から固着されている、ことを特徴とする。
【００１１】
このように構成したことで、被覆板の存在により、始動口用ハーネスの取り外しによる偽物との取替え、或いは、別途擬似制御基板への接続といった不正による意図的な当否抽選或いは不正に当否抽選の回数を増やすといった事態を防止できる。
そして、前記球集合板と被覆板とが球集合板の前面側から固着されていることで、両者が固着され、遊技盤に取り付けられた後には被覆板は外部から取り外しできないものであるから（固着部位が遊技盤と球集合板との間で覆われる）、前述の始動口用ハーネスに対する不正防止をより確実に行い得る。
殊に、始動口センサの取り外し方向と始動口用ハーネスのコネクタの着脱方向とが異なる場合であっても、少なくとも、始動口用ハーネスの取り外しを確実に阻止できる。
【００１２】
本発明にかかる遊技機は、上記目的を達成するために、手段２として、
前面に遊技領域が形成された遊技盤と、遊技領域に設けられた遊技球が入球可能な始動口と、遊技盤の裏面に取り付けられると共に始動口に入球したのち遊技盤の裏面側に案内された遊技球を誘導し下方に排出する排出通路が形成された球集合板と、球集合板に取り付けられた始動口に入球口した遊技球を検出可能な始動口センサと、始動口センサの検出に基づいて遊技者に有利な特別遊技状態を発生させるか否かの当否抽選を行うように制御される制御基板と、制御基板と始動口センサとを配線により連結させた始動口用ハーネスと、を備えた遊技機において、
前記球集合板に取り付けられた始動口センサの取り外し方向の少なくとも一部を覆う被覆板を備え、
前記球集合板と被覆板とが球集合板の前面側から固着されている、ことを特徴とする。
【００１３】
このように構成したことで、被覆板の存在により、始動口センサの取り外しによる偽物との取替え、或いは、別途擬似制御基板への接続といった不正による意図的な当否抽選或いは不正に当否抽選の回数を増やすといった事態を防止できる。
そして、前記球集合板と被覆板とが球集合板の前面側から固着されていることで、両者が固着され、遊技盤に取り付けられた後には被覆板は外部から取り外しできないものであるから（固着部位が遊技盤と球集合板との間で覆われる）、前述の始動口センサに対する不正防止をより確実に行い得る。
殊に、始動口センサの取り外し方向と始動口用ハーネスのコネクタの着脱方向とが異なる場合であっても、少なくとも、始動口センサの取り外しを確実に阻止できる。
【００１４】
手段３：手段１又は手段２の遊技機において、
前記球集合板が、排出通路を備えた排出通路板部と、電気部品の取り付けを行う取付板部とから成り、該取付板部が排出通路板部の裏面側に重ねられ、前記被覆板が前記取付板部に一体的に設けられていることを特徴とする。
【００１５】
このように、前記被覆板を、電気部品の取り付ける前記取付板部と一体とすることにより、その取付板部の取り付けで自動的に被覆板の取り付けを行い得る。
【００１６】
手段４：手段３の遊技機において、
前記取付板部に中継基板取付部が設けられ、前記被覆板が該中継基板取付部の一部で構成されていることを特徴とする。
【００１７】
このように構成したことで、前記被覆板と中継基板取付部とを兼用でき、構造の簡素化を図ることができる。
【００１８】
手段５：手段１又は手段２の遊技機において、
前記球集合板が、排出通路を備えた排出通路板部と、電気部品の取り付けを行う取付板部とから成り、該取付板部が排出通路板部の裏面側に重ねられ、前記被覆板が前記取付板部とは別体で設けられ、該被覆板の少なくとも一部が前記排出通路板部と前記取付板部との間に挟持されることにより前記球集合板と被覆板とが固着されることを特徴とする。
【００１９】
このように構成したことで、被覆板を別途成型しておくことで、排出通路板部及び取付板部を簡単な構造に成型でき、始動口センサを装着後に被覆板を配置して前記排出通路板部と前記取付板部との間に挟持させればよく、部品点数が増えるが組み付け上は簡単である。この際、被覆板を前記排出通路板部及び取付板部の少なくとも一方に嵌合保持させる構造を採用すれば、組み付けは容易に行い得る。
【００２０】
手段６：手段３乃至手段５の遊技機において、
前記始動口センサの先端部側が排出通路板部に位置され、前記被覆板が、前記始動口センサの後端部の後面、上下面、一側面を所定の間隔を隔てて被覆するように構成され、その後端部の他側面が開放されていて始動口用ハーネスの取り出しに用いられることを特徴とする。
【００２１】
このように、始動口センサは、その全体の後端部の一側面のみが開放される状態で被覆板により被覆されていることで、始動口センサを不正に取り外すことが非常に困難となり、始動口センサの取替えなどの不正を防止できる。そして、この始動口センサに繋がる始動口用ハーネスは、前記一側の開放部位から支障なく外部に取り出し、制御基板に接続できる。
【００２２】
手段７：手段１乃至手段６の遊技機において、
前記球集合板と被覆板とが球集合板の前面側からネジにより固着されていることを特徴とする。
【００２３】
このように、球集合板と被覆板とをネジによって球集合板の前面側から止める方式であるので、両者の組み立てを簡単に行い得ると共に遊技盤への取り付けを外した場合には、そのネジを緩めることで、球集合板と被覆板とを分離でき、始動口センサの取替え、メンテナンスを容易に行い得る。
【００２４】
手段８：手段１乃至手段７の遊技機において、
遊技機がパチンコ機であることを特徴とする。
【００２５】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
パチンコ機にあっては、被覆板の存在により、始動口センサの取り外しによる偽物との取替え、或いは、別途擬似制御基板への接続といった不正による意図的な当否抽選或いは不正に当否抽選の回数を増やすといった事態を防止できる。そして、前記球集合板と被覆板とが球集合板の前面側から固着されていることで、両者が固着され、遊技盤に取り付けられた後には被覆板は外部から取り外しできないものであるから（固着部位が遊技盤と球集合板との間で覆われる）、前述の始動口センサに対する不正防止をより確実に行い得る。
殊に、始動口センサの取り外し方向と始動口用ハーネスのコネクタの着脱方向とが異なる場合であっても、少なくとも、始動口センサ又は/及び始動口用ハーネスの取り外し、付け代えを確実に阻止できる。
【００２６】
以下、図面を参照しつつ本発明に係る遊技機の実施形態について説明する。なお、以下の実施形態では、便宜上、パチンコ機を挙げて説明するが、本発明は、パチンコ機以外の弾球遊技機（例えばアレンジボール機や雀球遊技機など）、その他、遊技球を用いる種々の形態の遊技機に適用することができる。
【００２７】
（パチンコ機の正面構成）
図１は本実施形態のパチンコ機１０の正面図であり、図２は、パチンコ機１０の左側面図であり、図３は、その平面図である。図４は、外枠１１に対して内枠１２と前面枠（セット）１４と、セット板４００を開放した状態を示す斜視図である。（但し、図４では便宜上、遊技盤３０面上の遊技領城内の構成〔釘、センター役物等〕を空白で示しているが、アウト口３６は描いてある）。
【００２８】
図１乃至図４に示すように、パチンコ機１０は、当該パチンコ機１０の外殻を形成する外枠１１と、この外枠１１の一側部に開閉可能に支持された内枠１２とを備えている。外枠１１は、木製の板材により全体として矩形状に構成され、小ネジ等の離脱可能な締結具により各板材が組み付けられている。なお、外枠１１は、軽量化を図るために、樹脂やアルミニウム等の軽金属により構成されていてもよい。
前記内枠１２の開閉軸線はパチンコ機１０の正面からみて遊技球発射ハンドル１８の設置箇所の反対側（図１のパチンコ機１０の左側）で上下に延びるように設定されており、この開閉軸線を軸心にして内枠１２が前方側に十分に開放できるようになっている。また、内枠１２は合成樹脂、具体的にはＡＢＳ（アクリロニトリルーブタジエンースチレン）樹脂から成る。こうすることで、粘性が高く衝撃に強くでき、低コストで製造できるという利点が発揮される。
【００２９】
下皿ユニット１３は、内枠１２に対してネジ等の締結具により固定されている。この下皿ユニット１３の前面側には、下皿１５と球抜きレバー１７と遊技球発射ハンドル１８と灰皿２２と音出力口２４（内枠１２の左右上端部位置）が設けられている。球受皿としての下皿１５は、下皿ユニット１３のほぼ中央部に設けられており、後述の上皿１９が満タンになった場合等に排出口１６より排出される遊技球を停留する役割がある。球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。
【００３０】
そして、遊技球発射ハンドル１８は、下皿１５よりも右方で手前側に突出するように配設されている。遊技者による遊技球発射ハンドル１８の操作に応じて、遊技球発射装置３８（図４参照）によって遊技球が遊技盤３０の方へ打ち込まれるようになっている。遊技球発射装置３８は、遊技球発射ハンドル１８と後述するセットハンドルと発射モーターなどで構成されている。
音出力口２４は、内枠１２の左右上端部位置に設けられたスピーカからの音を出力するための出力口である。また、灰皿２２は、図１に示すように、下皿１５の左方に設けられている。灰皿２２は左右方向（水平方向）の軸線を軸心にして回動（例えば前方側に向けて前回り）するように支持されている。
【００３１】
なお、下皿ユニット１３はその大部分が内枠１２と同様、ＡＢＳ樹脂にて成形されている。こうすることで、粘性が高く衝撃に強くでき、低コストで製造できる。特に、下皿１５を形成する表面層と下皿１５の奥方の前面パネル部分とを難燃性のＡＢＳ樹脂にて成形している。このため、この部分は燃えにくくなっている。
【００３２】
また、前面枠１４は、図４に示すように、内枠１２に対して開閉可能に取り付けられており、内枠１２と同様、パチンコ機１０の正面からみて左側に上下に延びる開閉軸線を軸心にして前方側に開放できるようになっている。しかも前面枠１４は内枠１２の外側壁（リブ）１２ｂ内に嵌まり込むようにして取り付けられている。
つまり、この前面枠１４の側面の少なくとも一部が内枠１２の外側壁（リブ）１２ｂ内に嵌まり込むようにして取り付けられているので、内枠１２と前面枠１４との隙間から異物（針状あるいは薄板状等のものであって、具体的には針金、ピアノ線、セルロイド板等）を差し入れるなどの不正行為を防止できるようになっている。また、前面枠１４は、内枠１２と同様に、合成樹脂、具体的にはＡＢＳ樹脂により構成されているので、粘性が高く衝撃に強くでき、低コストで製造できる。
【００３３】
一方、前面枠１４の下部（上述の下皿１５の上方位置）には、遊技球の受皿としての上皿１９（図１参照）が前面枠１４と一体的に設けられている。この上皿１９は、遊技球を一旦貯留し、一列に整列させながら遊技球発射装置３８の方へ導出するための球受皿である。この上皿１９も下皿１５と同様、表面層が難燃性のＡＢＳ樹脂にて成形される構成となっている。
【００３４】
図４に示すように、内枠１２は、外形が矩形状の樹脂ベース２０を主体に構成されており、樹脂ベース２０の中央部には略円形状の窓部孔２１が形成されている。
そして、樹脂ベース２０の後側には、図４及び図５に示す遊技盤３０が着脱可能に装着されている。図５に示すように、遊技盤３０は四角形状の合板よりなり、上部一方のコーナーが肩落ちされており(後に述べる)、その周縁部が樹脂ベース（内枠１２）の裏側に当接した状態で取着されている。
【００３５】
従って、遊技盤３０の前面部の略中央部分が樹脂ベースの窓部孔２１を通じて内枠１２の前面側に露出した状態となっている（図４では遊技盤３０のアウト口３６が示されている）。そして、ここでは、遊技盤３０の前記内枠１２の外枠１１に対する枢着部（パチンコ機１０の正面からみて左側に上下に延びる開閉軸線を軸心にした枢着）に近いコーナー（隅）が、図５に示すように、略三角形状に角落ち（切り欠き）７２０されている。
【００３６】
次に、図５を用いて遊技盤３０の構成を説明する。図５は遊技盤３０の構成を示す正面図である。遊技盤３０の左方やや下方位置には、３組一対の一般入賞口３１、３１、３１が階段状に位置され、中央下方には、始動口３３が配置され、更に、この始動口３３の右方には、一つの一般入賞口３１が配置され、此れらに対応した始動口センサS1、一般入賞口センサＳ２、Ｓ３、Ｓ４（その内のＳ３は、二つの一般入賞口３１、３１の兼用センサ）が、遊技盤３０の背面に設けられており、これらのセンサは、図示しない電気配線（ここでは、始動口センサS1の始動口用ハーネスＨのみ示す）を通じて、後述する主制御基板（主制御装置２６１に備えられている）に接続されている。前記始動口３３は、上始動口３３aと、下始動口３３bとから成り、その下始動口３３ｂは、羽根物の開閉で入球されることになる。
そして、この一般入賞口３１、３１、３１、３１及び始動口３３に遊技球が入球した場合には、上記各検出センサS1、Ｓ２、Ｓ３、Ｓ４で検出され、この検出センサS1、Ｓ２、Ｓ３、Ｓ４の出力に基づいて、上皿１９（または下皿１５）へ所定数の賞品球が払い出されると共に、始動口３３に遊技球が入球した場合には、始動口センサS1からの信号が主制御基板（主制御装置２６１に備えられている）にインプットされ、後述する抽選が開始されることになる。この所定の確立の抽選により当たりが得られると、前記始動口３３の下方に設けられた可変入賞装置３２の大入賞口３２ａが開かれ、所定数の遊技球（例えば９個或るいは１０個）の入球をカウントし、それによって、所定の回数（例えば１５ラウンド）だけ開閉操作される。ここに入球した遊技球の１個当たりにつき、所定数の賞品球が順次払い出される。
【００３７】
尚、上記入賞検出センサS1、Ｓ２、Ｓ３、Ｓ４にて各々検出された検出結果は、後述する主制御基板（主制御装置２６１に備えられている）に取り込まれ、該主制御基板（主制御装置２６１に備えられている）よりその都度の入賞状況に応じた払出指令（遊技球の払出個数）が払出制御基板に送信される。そして、該払出制御基板の出力により所定数の遊技球の払出が実施される。
かかる場合、各種入賞口３１、３１、３１、３３に入賞した遊技球を入賞球処理装置に一旦集め、その入賞球処理装置で入賞球の存在を１つずつ順番に確認した上で払出を行う従来方式（いわゆる証拠球方式）とは異なり、本実施の形態のパチンコ機１０では、各種入賞口毎に遊技球の入賞を電気的に感知して払出が直ちに行われる（すなわち、本パチンコ機１０では入賞球処理装置を廃止している）。故に、払い出す遊技球が多量にあっても、その払出をいち早く実施することが可能となる。但し、本発明に従来の「証拠球方式」を適用してもよい。
【００３８】
また、遊技盤３０の中央には液晶パネルを用いた装飾図柄表示装置４２が配置されており、その左横側部には、スルーゲート３４が配置されている。このスルーゲート３４は、遊技球の通過によって、後述の始動口３３（下始動口３３b）の羽根物を開閉作動させる。
その他に、遊技盤３０の左右下方位置には、上記一般入賞口３１、３１、３１、３１を備えた装飾部材Ｄ１、Ｄ２、Ｄ３、D4及び他の装飾部材Ｄ５（所要意匠）が設けられ、また、遊技盤３０の下部にはアウト口３６が設けられており、各種入賞装置等に入球しなかった遊技球はこのアウト口３６を通って、遊技盤３０裏面の図示しない球排出路の方へと案内されるようになっている。さらに、遊技盤３０には、遊技球の落下方向を適宜分散、調整等するために多数の誘導釘が植設されているとともに、同様の機能を有する風車が配設されている。
【００３９】
また、遊技盤３０には、遊技球発射装置３８から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす樹脂成型品（例えば、フッ素樹脂が添加されて成形されたもの）にて構成されており、内外二重に一体形成された内レール５１と外レール５２とを有する。
【００４０】
なお、レールユニット５０はフッ素樹脂を添加して成形されているので、遊技球の摩擦抵抗を少なくできる。内レール５１は上方の約１／４ほどを除いて略円環状に形成され、一部（主に左側部）か内レール５１に向かい合うようにして外レール５２が形成されている。
かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００４１】
内レール５１の先端部分（図５の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。また、外レール５２には、遊技球の最大飛翔部分に対応する位置（図５の右上部：外レール５２の先端部に相当する部位）に返しゴム５４が取着されている。従って、所定以上の勢いで発射された遊技球は、返しゴム５４に当たって跳ね返さわるようになっている。外レール５２の内側面には、遊技球の飛翔をより滑らかなものとするべく、つまり遊技球の摩擦抵抗を少なくするべく、長尺状をなすステンレス製の金属帯としての摺動プレートが取着されている。
【００４２】
また、レールユニット５０の外周部には、外方へ張り出した円弧状のフランジが形成されている。フランジは、遊技盤３０に対する取付面を構成する。レールユニット５０が遊技盤３０に取り付けられる際には、遊技盤３０上にフランジが当接され、その状態で、当該フランジに形成された複数の透孔にネジ等が挿通されて遊技盤３０に対するレールユニット５０の締結がなされるようになっている。
【００４３】
内レール５１および外レール５２間の球案内通路の入口には、同球案内通路の一部を閉鎖するようにして凸部が形成されている。この凸部は、内レール５１からレールユニット５０下端部にかけて略鉛直方向に設けられ、遊技領域まで至らず球案内通路内を逆流してくるファール球をファール球通路に導くための役目をなす。
なお、遊技盤３０の右下隅部および左下隅部は、証紙（例えば製造番号が記載されている）等のシール（図外）やプレートを貼着するためのスペースとなっており、この貼着スペースを確保するために、フランジに切欠が形成されている。遊技盤３０の右下隅部や左下隅部に、証紙等のシールを貼着することで、遊技盤３０と証紙との一義性を持たせることができる。
【００４４】
次に、遊技領域について説明する。遊技領域は、レールユニット５０の内周部（内外レール）により略円形状に区画形成されている。本実施形態では、遊技領域を、パチンコ機１０の正面から見て、内レール５１および外レール５２によって囲まれる領域のうち、内外レール５１，５２の並行部分である誘導レールの領域を除いた領域としている。
従って、遊技領域と言った場合には誘導レール部分は含まないため、遊技領域の向かって左側限界位置は外レール５２によってではなく内レール５１によって特定される。同様に、遊技領域の向かって右側限界位置は内レール５１によって特定される。また、遊技領城の下側限界位置は遊技盤３０の下端位置によって特定される。また、遊技領域の上側限界位置は外レール５２によって特定される。
【００４５】
前記樹脂ベースにおいて、図４に示す如く、窓部孔２１（遊技盤３０）の下方には、遊技球発射装置３８より発射された直後に遊技球を案内するための発射レールが取り付けられている。発射レールは、その後方の金属板を介して樹脂ベースに取付固定されており、所定の発射角度（打ち出し角度）にて直線的に延びるよう構成されている。従って、遊技球発射ハンドル１８の回動操作に伴い発射された遊技球は、まずは発射レールに沿って斜め上方に打ち出され、その後前述した通りレールユニット５０の球案内通路を通じて所定の遊技領域に案内されるようになっている。
【００４６】
また、発射レールとレールユニット５０（誘導レール）との間には所定間隔の隙間があり、この隙間より下方にファール球通路が形成されている。従って、仮に、遊技球発射装置３８から発射された遊技球が戻り球防止部材５３まで至らずファール球として誘導レール内を逆戻りする場合には、そのファール球がファール球通路を介して下皿１５に排出される。
【００４７】
ファール球が誘導レール内を逆流してくる際、その多くは外レール５２に沿って流れ、外レール５２の下端部に到達した時点で下方に落下するが、一部のファール球は誘導レール内で暴れ、内レール５１側へ跳ね上がるものもある。この際、跳ね上がったファール球は、球案内通路入口の前記凸部に当たり、ファール球通路に誘導される、これにより、ファール球の全てがファール球通路に確実に案内されるようになり、ファール球と次に発射される遊技球との干渉が抑制される。
【００４８】
なお、詳しい図面の開示は省略するが、遊技球発射装置３８には、前面枠１４側の球出口（上皿１９の最下流部より通じる球出口）から遊技球が１つずつ供給される。また、遊技球発射装置３８には打球槌が設けられ、軸部を中心とする打球槌の回動に伴い遊技球が発射される。
【００４９】
図４中の符号６７は、上皿１９に通ずる排出口であり、この排出口６７を介して遊技球が上皿１９に排出される。この排出口６７には、略水平方向の回転軸を軸心として略水平状態と略垂直状態とに変位する開閉式のシャッタが取り付けられている、前面枠１４を内枠１２から開放した状能（図４の状態）では、バネ等の付勢力によりシャッタが略水平状態から略垂直状態となり、排出口６７から遊技球がこぼれ落ちないようにこの排出口６７を閉鎖する。
【００５０】
また、前面枠１４を閉鎖した状態では、当該前面枠１４の裏面に設けられた球通路樋６９（図４参照）によりシャッタが押し開けられて略水平状態になり、排出口６７の方へ排出された遊技球はもれなく球通路樋６９を通って上皿１９に排出されるようになる。従って、本パチンコ機１０においては、前面枠１４の開放に際し払出通路内等の遊技球がパチンコ機１０外にこぼれ落ちてしまうといった不都合が防止できるようになっている。
【００５１】
図４に示すように、内枠１２の上側には、前面枠１４が内枠１２に対して開かれたことを検出する前面枠セット開検出スイッチ９０が設けられている。前面枠１４が開かれると、前面枠セット開検出スイッチ９０からホール内（パテンコ店内）用コンピュータヘ出力されるようになっている。また、前面枠１４が閉じられると、前面枠１４の金属製の補強板が、内枠１２の一対の金具に接触するようになっており、前面枠１４のアースが確保されている。
【００５２】
ここで、前述した前面枠１４について、図１乃至図４を参照しつつより詳細に説明する。前面枠１４には前記遊技領域のほとんどを外部から視認することができるよう略楕円形状の窓部１０１が形成されている。詳しくは、ベース部材が窓部１０１を形成する開口を備えており、その左右側の略中央部が、上下側に比べて比較的緩やかに湾曲して細化した形状となっている。なお、前記略中央部が直線状になるようにしてもよい。
【００５３】
加えて、前面枠１４には、その周囲（例えばコーナー部分）に、演出装置７００の一つとして、各種ランプ等の発光部が設けられている。これら発光部は、大当たり遊技状態時や羽根開放時等における遊技状態の変化に応じて点灯、点滅のように発光態様が変更制御され遊技中の演出効果を高める役割を果たすものである。例えば、窓部１０１の周縁には、ＬＥＤ等の発光部を内蔵した環状電飾部１０２が左右対称に設けられ、該環状電飾部１０２の中央であってパチンコ機１０の最上部には、同じくＬＥＤ等の発光部を内蔵した中央電飾部１０３が設けられている。
本パチンコ機１０では、中央電飾部１０３が大当たりランプとして機能し、大当たり遊技状態時に点灯や点滅を行うことにより、大当たり遊技状態中であることを報知する。さらに、上皿１９周りにも、同じくＬＥＤ等の発光部を内蔵した上皿電飾部１０４が設けられている。
【００５４】
その他、中央電飾部１０３の左右側方には、賞球払出し中に点灯する賞球ランプ１０５と所定のエラー時に点灯するエラー表示ランプ８１０、８１３（ＬＥＤ：後に言及）とが設けられている。また、環状電飾部１０２の下端部に隣接するようにして、内枠１２表面や遊技盤３０表面等の一部を視認できるよう透明樹脂からなる小窓部１０７が設けられている。この小窓部１０７の所定箇所を平面状としているので、遊技盤３０の右下隅部に貼り付けられた証紙などを、小窓部１０７の当該平面状箇所から機械で好適に読み取ることができる。更に、遊技領域内にも、入賞口用等の装飾部としての電飾ランプ、ＬＥＤが存在するが、こうした発光部も演出装置７００の一部を構成する。ここで、遊技領域に設けられた装飾部について説明すると、ＬＥＤ基板によって照射される装飾部は、５箇所設けられている。装飾部Ｄ１、Ｄ２、Ｄ３、Ｄ４、Ｄ５は、正面視で、中央から左方に３箇所（一般入賞口３１の略近傍位置）、右方に２箇所（１箇所は一般入賞口３１の近傍）であり、これらに対応してＬＥＤ基板Ｂ１、Ｂ２、Ｂ３、Ｂ４、Ｂ５が存在する。これらの装飾部Ｄ１、Ｄ２、Ｄ３、Ｄ４、Ｄ５及びＬＥＤ基板Ｂ１、Ｂ２、Ｂ３、Ｂ４、Ｂ５については、後に球集合板４６０の説明に際して改めて言及する。
【００５５】
また、図１に示すように、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。
【００５６】
そして、度数表示部はカード等の残額情報を表示するものである。なお、カードユニットを介さずに球貸し装置部から上皿１９に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００５７】
（パチンコ機の背面構成）
図６及び図７は、パチンコ機１０の背面図と、セット板４００を一部開いた斜視図である。先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。
【００５８】
本実施形態では、各種制御基板を２つの取付台に分けて搭載して２つの制御基板ユニットを構成し、それら制御基板ユニットを個別に内枠１２または遊技盤３０の裏面に装着するようにしている。この場合、主制御基板と音声ランプ制御基板とを取付台に搭載してユニット化すると共に、払出制御基板、発射制御基板および電源基板は、セット板の第２パーツを構成する排出通路盤にユニット化している。ここでは便宜上、前者のユニットを「第１制御基板ユニット２０１」と称し、後者のユニットを「第２制御基板ユニット２０２」と称することとする。
【００５９】
第１制御基板ユニット２０１、第２制御基板ユニット２０２は、ユニット単位で何ら工具等を用いずに着脱できるよう構成されており、さらにこれに加え、一部に支軸部を設けて内枠１２または遊技盤３０の裏面に対して開閉できる構成となっている。かかる構成については後に詳述する。これは、各ユニット２０１、２０２やその他構成が前後に重ねて配置されても、隠れた構成等を容易に確認することを可能とするための工夫でもある。
【００６０】
従って、図５に示す一般入賞口３１、始動口３３に入賞した遊技球は何れも前記裏枠セットの回収通路を介して集合し、さらに球集合板４６０の排出通路４６１を介してパチンコ機１０の外部に排出される。なお、アウト口３６（図５参照）も同様に排出通路４６１に通じており、何れの入賞口にも入賞しなかった遊技球も排出通路４６１を介してパチンコ機１０外部に排出される。
【００６１】
その他、図６に示すように、内枠１２の背面構成において、遊技盤３０の右下部には、後述する払出機構部３５２より払い出される遊技球を上皿１９、下皿１５、または排出通路４６１の何れかに振り分けるための遊技球分配部が設けられている。
【００６２】
第１制御基板ユニット２０１は、略Ｌ字状をなす取付台を有し、この取付台に主制御装置２６１と音声ランプ制御装置とが搭載されている。ここで、主制御装置２６１は、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を含む主制御基板を具備しており、この主制御基板が透明樹脂材料等よりなる基板ケースに収容された構成とされる。
【００６３】
第２制御基板ユニット２０２は、払出制御装置３１１、発射制御装置３１２、電源制御装置３１３およびカードユニット接続基板３１４が含まれる。払出制御装置３１１、発射制御装置３１２および電源制御装置３１３は周知の通り制御の中枢をなすＣＰＵや、その他ＲＯＭ、ＲＡＭ、各種ポート等を含む制御基板を具備しており、払出制御装置３１１により、賞品球や貸出球の払出が制御される。
【００６４】
また、発射制御装置３１２により、遊技者による遊技球発射ハンドル１８の操作に従い発射モーターの制御が行われ、電源制御装置３１３により、各種制御装置等で要する所定の電源電圧が生成され出力される。カードユニット接続基板３１４は、パチンコ機前面の貸球操作部１２０（図１参照）および図示しないカードユニットに電気的に接続され、遊技者による球貸し操作の指令を取り込んでそれを払出制御装置３１１に出力するものである。なお、カードユニットを介さずに球貸し装置等から上皿１９に遊技球が直接貸し出される現金機では、カードユニット接続基板３１４は不要である。
【００６５】
上記払出制御装置３１１、発射制御装置３１２、電源制御装置３１３およびカードユニット接続基板３１４は、透明樹脂材料等よりなる基板ケース３１５（この内側に位置するもう一つの基板ケース），３１６，３１８にそれぞれ収容された構成とされる。
【００６６】
図６に示すように、払出制御装置３１１には状態復帰スイッチ３２１が設けられている。例えば、払出モーター部の球詰まり等、払出エラーの発生時において状態復帰スイッチ３２１が押下されると、払出モーターが正逆回転され、球詰まりの解消（正常状態への復帰）が図られるようになっている。また、電源制御装置３１３にはＲＡＭ消去スイッチ３２３が設けられている。
【００６７】
そして、図４に示す通り、前記内枠１２の外枠１１に対する枢着部７２５に近い前記遊技盤３０のコーナーが、図５に示すように、略三角形状（遊技盤の中心側は円弧状）に角落ち７２０されている。前記枢着部７２５は、図４に示すように、外枠１1に固定のブラケット７２６（上端部）（下端部は図外）に、内枠１２に固定の取り付け金具を枢着することで構成されている。
【００６８】
ここで、上述したエラー状態などの状態報知について図１及び図６に基づいて述べる。
［遊技球の払い出しに関するエラー報知］
（タンク球無し）
タンク球無しの報知は、タンクとタンクレールに遊技球が無いことを報知するもので、図１に示す右コーナーＬＥＤ８１０が点灯し、図６に示すモニターＬＥＤ８１１が消灯し、状態表示８１２が「１」を点滅表示する。
【００６９】
（下受け皿満タン）
下受け皿満タンの報知は、図１に示す右コーナーＬＥＤ８１３が点灯し、図６に示すモニターＬＥＤ８１１が消灯する。そして、状態表示８１２が「２」を点滅表示する。
【００７０】
（払出ユニット異常）
払出モーター駆動中にも関わらず払出カウントスイッチに遊技球の通過がない状態を示すもので、右コーナーＬＥＤ８１０が点灯し、モニターＬＥＤ８１１が消灯し、状態表示８１２が、「３」を点滅表示する。
【００７１】
［電源に関するエラー報知］
（ヒューズ切れ１及びヒューズ切れ２）
ヒューズ切れ１は、図６に示す第１ヒューズ８１４に定格以上の電流が流れたとき、ヒューズ切れ２は、第２ヒューズ８１５に以上の定格以上の電流が流れたときに飛んでしまった状態であるが、このエラー状態報知は、表示されない。
【００７２】
［その他のエラー報知］
その他のエラーとしては、「ガラス枠開放」、「内枠開放」、「遊技球等貸出装置未接続」、「遊技球等貸出装置通信異常」、「コマンド異常」、「コネクタ未接続」がある。そのうち、遊技球等貸出装置が未接続の場合は、図６に示すモニターＬＥＤ８１６及びモニターＬＥＤ８１７が消灯する。そして、遊技球等貸出装置通信異常は、前記状態表示８１２が「Ｕ」を点滅表示する。
また、コマンド異常は、ハーネスの破損等によるコマンド不良を示すもので、前記状態表示８１２が「Ｃ」を点滅表示する（電源投入時にコマンド異常になった場合は点灯表示）。更に、コネクタ未接続は、モニターＬＥＤ８１８が消灯する（ただし、発射動作中は点滅する）。
尚、図６において、８１９は、遊技機電源コードを示し、８２０は、電源スイッチを示し、８２１は、外部接続アース線を示す。
【００７３】
次に、第１制御基板ユニット２０１について述べるが、これは、主たる制御を司るＣＰＵ、遊技プログラムを記憶したＲＯＭ、遊技の進行に応じた必要なデータを記憶するＲＡＭ、各種機器との連絡をとるポート、各種抽選の際に用いられる乱数発生器、時間計数や同期を図る場合などに使用されるクロックパルス発生回路等を収容してなる主制御装置２６１が搭載されているものである。
【００７４】
図８、その他の図面に示すように、前記第１制御基板ユニット２０１は、第１ケース７０及び第２ケース８５を含む。この実施例では、第１ケース７０が主制御装置２６１の制御基板（図外）を収容する容積のある方であり、第２ケース８５がその蓋体に相当する方である。
この基板ユニット２０１は、前記第１ケース７０側に設けられる第１封止部７１と、前記第２ケース側に設けられる第２封止部８６と、その第１封止部７１と第２封止部８６とを連結する封止部材８７とを有し、その封止部材８７によって前記第１封止部７１と第２封止部８６とが連結されている場合に前記制御基板を取り出すときには基板ユニット２０１を破壊するか或いは所定の部位を切断することを必要とするものである。
【００７５】
前記第１ケース７０の第１封止部７１と第２ケース８５の第２封止部８６とは対を成すもので、この実施例では、個別に使用することのできる５個の封止部（封止、開封の再使用不可）から構成されており、それぞれを、封止部材８７を用いて封止するよう構成されたものであり、こうした封止構造は、公知に属するものと変わらないものであるから、ここでの詳細説明は省略する。
【００７６】
図８は、遊技球が流下する遊技領域を前面側に形成してある遊技盤３０の裏面の斜視図であり、便宜上、その上部に位置する他の構成部材を消去して、その下部に設けた第１制御基板ユニット２０１及びその近傍を図示している。図９は、遊技盤３０の裏面を別の方向から見た斜視図であり、図１０は、その背面図であり、図１１は、第１制御基板ユニット２０１を開閉機構４１０から取り外した状態を示す。
以下の説明において、前記第１制御基板ユニット２０１を基板ケースの名称で説明をする。
先ず、前記基板ケース２０１を遊技盤３０に対して開閉させる開閉機構４１０について説明する。
この開閉機構４１０は、ヒンジ金具４１２と後述の第１係合部４１４とを備え、前記ヒンジ金具４１２は、後に詳述するが、回動連結のための軸４１１を備え、コの字形に折り曲げられた一枚の支持板（約２ｍｍ厚の鋼板）からなる第１部材と、他端側は、その軸４１１を基点にして回動するように枢着された第２部材とで構成されている。前記軸４１１は、リベット構造（カシメ）であり、その両端部を変形させることよって容易に抜き取り出来ないようにされている。
【００７７】
このヒンジ金具４１２について、更に、図１２及び図１６乃至図１８に基づいて詳述する。
このヒンジ金具４１２の一方がネジ連結部４０１を有し、該ネジ連結部４０１が、後述の球集合板４６０に対して、その表面側から２本のネジ４２１によりネジ止めされ、前記球集合板４６０が遊技盤３０の裏面に固定された後には前記ネジ連結部４０１のネジ連結が解除できないようにすると共に該ネジ連結の解除が可能であることで、例えば廃棄処分等において、前記球集合板４６０を破壊することなく前記ヒンジ金具４１２を取り外し可能とし、リサイクル性を改善している。
更に、具体的には、前記ネジ連結部４０１は、前記開閉のための前記軸４１１を貫設した前部連結体４０１Ａ、４０１Ａと、該前部連結体４０１Ａ、４０１Ａに一体のネジ止め部４０１Ｆと、これに連続する支え部４０１Ｄとを有し、且つ、該ネジ連結部４０１のネジ止め部４０１Ｆは、平板状体で構成され、その一端部の両側部から前記前部連結体４０１Ａ、４０１Ａが、側面視でコの字型を呈するように、夫々折り曲げ形成され、前記支え部４０１Ｄも平板状体で構成されている。
【００７８】
また、前記ヒンジ金具４１２の他方が、やはり実質的にコの字型を呈するように夫々折り曲げ形成された後部連結体４０１Ｂ、４０１Ｂを有し、該後部連結体４０１Ｂ、４０１Ｂは、これに一体の支持面部４０１Ｃを介して、前記第１係合部４１４に繋がり、前記支持面部４０１Ｃが後述の連結台座部材４３０の側面を接当支持している。更に、前記基板ケース２０１の一側部側に位置する前記ヒンジ金具４１２の後部連結体４０１Ｂは、前記基板ケース２０１の一側部側に位置する前記前部連結体４０１Ａの外側に位置されて軸支され、該後部連結体４０１Ｂから第１係合部４１４にかけてその横断面がＬ型に形成され、前記第１係合部４１４が前記後部連結体４０１Ｂから所定距離離れた位置に設けられている。
更に、前記ヒンジ金具４１２には補強体４０１Ｅが設けられ、後述のスペーサー５０１及び前記基板ケース２０１の被覆状態において、該補強体４０１Ｅが前記スペーサー５０１の一部（凹部）に入りこんでいる。
尚、前記ヒンジ金具４１２の２本の軸４１１は、夫々カシメにより前記前部連結体４０１Ａ、４０１Ａ及び前記後部連結体４０１Ｂ、４０１Ｂに対して位置固定されているが、この軸４１１は、前記前部連結体４０１Ａ、４０１Ａ及び前記後部連結体４０１Ｂ、４０１Ｂの間隔が確定的なものであるところから、１本の軸であってもカシメによる枢支連結が十分に可能であるので、１本の軸が用いられてもよい。
【００７９】
前記ヒンジ金具４１２のネジ連結部４０１のネジ止め部４０１Ｆの底部部分には２個のネジ孔４０２が設けられ、遊技盤３０の裏面に固定される球集合板４６０（遊技盤３０の前面の入賞口に入球した遊技球を遊技盤裏面において集合させて排出する通路を形成しているもの）に対してネジ固定される。
【００８０】
ここで、前記球集合板４６０について説明する。
前記球集合板４６０は、遊技盤３０の前面から一般入賞口３１、始動口３３（上始動口３３ａ及び下指導口３３ｂ）、可変入賞装置３２の大入賞口３２ａから裏面に抜けた遊技球を案内する５つの排出通路４６１（球集合樋）を形成した排出通路板部４６０Ａと、電気部品を敷設する取付板部４６０Ｂとの二層構造（遊技機表裏の方向）となっており、前記排出通路板部４６０Ａが遊技盤３０に直接固定され、前記取付板部４６０Ｂは、この排出通路板部４６０Ａの裏面に嵌合され、この正面側から、ここでは３本のネジ４８１でネジ止めされている。
【００８１】
このように、前記球集合板４６０が排出通路４６１を備えた排出通路板部４６０Ａと、該排出通路板部４６０Ａの後側に配置され、前記ＬＥＤ基板Ｂ１、Ｂ２、Ｂ３、Ｂ４、Ｂ５を取り付ける取り付け部ｂ１、ｂ２、ｂ３、ｂ４、ｂ５と、中継基板４７０を取り付ける中継基板取付部４７１とを備えた取付板部４６０Ｂとから成り、前記球集合板４６０の排出通路板部４６０Ａと取付板部４６０Ｂとは光透過性樹脂により成形され、前記排出通路板部４６０Ａの排出通路４６１の後側にＬＥＤ基板Ｂ１、Ｂ２、Ｂ３、Ｂ４、Ｂ５の取り付け部ｂ１、ｂ２、ｂ３、ｂ４、ｂ５が位置されて、且つ、前記ＬＥＤ基板Ｂ１、Ｂ２、Ｂ３、Ｂ４、Ｂ５の少なくとも一部が重なる状態で配置され、前記ＬＥＤ基板Ｂ１、Ｂ２、Ｂ３、Ｂ４、Ｂ５による照射が前記排出通路４６１を透過して前方の前記装飾部材Ｄ１、Ｄ２、Ｄ３に到達するようにされている。この実施例では、前記排出通路板部４６０Ａと取付板部４６０Ｂの両方を光透過性樹脂により成形しているが、少なくとも前記排出通路板部４６０Ａが光透過性樹脂により成形されておれば目的は達成できる。
【００８２】
また、前記取付板部４６０Ｂに敷設される電気部品としては、上記装飾部Ｄ１、Ｄ２、Ｄ３、Ｄ４、Ｄ５を照射するＬＥＤ基板Ｂ１、Ｂ２、Ｂ３、Ｂ４、Ｂ５、更に、中継基板４７０等がある。そして、一般入賞口３１、３１、３１，３１の３つの一般入賞センサＳ２、Ｓ３、Ｓ４（２つの入賞口３１，３１は一つのセンサＳ３が兼用されている）、始動口３３（上始動口３３ａ及び下指導口３３ｂ）の入賞を検知する始動口センサＳ１は、前記取付板部４６０Ｂと前記排出通路板部４６０Ａとに渡って設けられるが、その設置は、前記取付板部４６０Ｂの裏面側から前面側に向けて、前記排出通路４６１の一部に挿入敷設される。
【００８３】
ここで、始動口センサＳ１について更に詳しく述べると、図２５に示す如く、この始動口センサＳ１は、コネクタＮ１（雄：２本ピン）を備え、該コネクタＮ１（雄）に嵌合されるコネクタＮ２を備えた始動口用ハーネスＨが接続される。この始動口用ハーネスＨの他端部には、コネクタＮ３が接続されており、このコネクタＮ３が主制御基板（主制御装置２６１）のコネクタ（図外）に接続される。図２５において、Ｄ1は、前記始動口用ハーネスＨのコネクタＮ２の始動口センサＳ１に対する着脱方向を示し、Ｄ1は、その始動口センサＳ１の前記排出通路板部４６０Ａへの挿入設置（着脱）方向を示す。
この始動口センサＳ１は、他の一般入賞センサＳ２、Ｓ３、Ｓ４とは異なり、前記排出通路板部４６０Ａへの挿入、設置の方向が、前記コネクタＮ２の嵌合方向に略直行する方向となっている。即ち、始動口センサＳ１を横向きとし、その姿勢でその横側方から前記排出通路板部４６０Ａへ挿入設置するものである。
【００８４】
ここで、再度、前記球集合板４６０について説明を付加する。
前記始動口センサＳ１を挿入設置する前記排出通路板部４６０Ａは、始動口センサＳ１の挿入方向側の部位に対向する壁面と、その先端部位に対向する壁面と、その上下面の一部に対向する壁面とを備えており、他方、裏面側から重ねられる取付板部４６０Ｂには、始動口センサＳ１の後部の後端部面に対向する壁面と、後端部の上下面に対向する壁面とが備えられている。
従って、排出通路板部４６０Ａに始動口センサＳ１が設置され、しかる後、取付板部４６０Ｂが合わされて固定されると、取付板部４６０Ｂの、始動口センサＳ１の後部の後端部面に対向する壁面の存在により、始動口センサＳ１のコネクタＮ２の引き抜き方向に、コネクタＮ２の移動の余裕が存在しないので、コネクタＮ２を引き抜くことが出来ないものである。
【００８５】
従って、取付板部４６０Ｂの、始動口センサＳ１の後部の後端部面に対向する壁面が、被覆板４８０を構成するものである。この被覆板４８０は、拡大斜視図の図２６に示す。
加えて、始動口センサＳ１の、後端部の上下面に対向する壁面も存在するものであるから、上下の方向に揺らしてとコネクタＮ２を引き抜くようにすることも出来ないのである。この意味において、かかる後端部の上下面に対向する壁面も、被覆板４８０を構成するものと言える。
また、始動口センサＳ１自体についても、その先端部側には前記排出通路板部４６０Ａの壁面が存在し、後端部側には、取付板部４６０Ｂの壁面が存在するので、両板部４６０Ａ、４６０Ｂが合わされ、固着されれば、この始動口センサＳ１を前後の方向に抜き取ることは出来ないものである。この意味において、かかる先端部側の前記排出通路板部４６０Ａの壁面と、後端部側の前記取付板部４６０Ｂの壁面が、始動口センサＳ１の引き抜きに対向する被覆板であると言える。但し、この場合には、後述するところの始動口センサＳ１の引き抜き方向に対抗する被覆板とは言えない。
【００８６】
上記排出通路板部４６０Ａの裏面には、４つの一般入賞口３１の遊技球を検知する入賞検知センサＳ２、Ｓ３、Ｓ４（その２つの入賞口３１，３１は一つのセンサＳ３が兼用して検知する）を設置する３つの係止フック３１ａが突出されており、これが、前記取付板部４６０Ｂに形成された開口（センサ設置のためのもの）を夫々通り抜けて、該取付板部４６０Ｂの裏面側に突出されている。このように、これらの一般の入賞センサＳ２、Ｓ３、Ｓ４については、上述の被覆板４８０が存在するわけではなく、前記開口を通して外方にオープンな状態となっており、メンテナンス、センサ取替え作業が容易に行い得るようにされており、不正が行われると重大な被害が出る上記始動口センサＳ１とは区別されている。
【００８７】
次に、スペーサー５０１について述べる。
このスペーサー５０１は、前記球集合板４６０と前記基板ケース２０１との間のスペースを埋めるもので、両者間の間隙から不正器具を挿入して内部の電気部品に対する不正を阻止するものであり、前記球集合板４６０を略被覆する大きさに構成され、その表面側は、区画リブが設けられて、前記球集合板４６０の被覆状態でその空間を区画して不正を行い難くすると共に強度向上を図ったおり、また、その長手方向の一端、ここでは、上記ヒンジ金具４１２とは反対側において、前記球集合板４６０の樋形成側部４６０Ａに形成された軸受け部５０２に回動自在に軸支、連結され、これにより前記球集合板４６０に対して開閉自在とされている。前記基板ケース２０１は、このスペーサー５０１が閉じられ、前記球集合板４６０を被覆した状態で、その上から回動によって、該スペーサー５０１の上部を覆う状態となる。
【００８８】
次いで、前記ヒンジ金具４１２の固定構造について述べる。
図８乃至図１８に示すように、前記ヒンジ金具４１２のネジ連結部４０１は、前記球集合板４６０に対して、その表面側からネジ止めされ、前記球集合板４６０が遊技盤３０の裏面に固定された後には前記ネジ連結部４０１のネジ連結が解除できないようにすると共に該ネジ連結の解除が可能であることで、例えば廃棄処分等において、前記球集合板４６０を破壊することなく前記ヒンジ金具４１２を取り外し可能とするために、次の構造を採用している。
【００８９】
即ち、前記球集合板４６０の裏面に、遊技機裏面側に向けて、約４５ｍｍの高さに突出する連結台４０２が、その前面側に空間を形成する状態で球集合板４６０と一体成型により設けられている。
そして、この連結台４０２には、前記ネジ連結部４０１のネジ止め部４０１Ｆ及び前部連結体４０１Ａ、４０１Ａを挿入するための縦スリット４０３が、遊技盤３０の平面に略平行な方向で形成され、また、前記ネジ連結部４０１の前部連結体４０１Ａ、４０１Ａを挿入するための横スリット４０４、４０４が、遊技盤３０の平面に略直行する方向で前記縦スリット４０３に連続する状態で形成され、且つ、前記連結台４０２の上部に、前記ネジ止め部４０１Ｆを前面側からの羅合で支持するネジ受け部４０５が設けられている。このネジ受け部４０５に２本のネジを羅合させるボス部が備えられており、その背面視（台の頂部から見た）では、凹の形状を呈し、その二つの突出部がその切り欠き貫通部を残して連結台４０２の壁面に一体的形成され、残る三辺が前記縦スリット４０３と横スリット４０４、４０４によって連結台４０２の壁面から離れ、所謂片持ち支持の構造となっている。このように、前記縦スリット４０３と横スリット４０４、４０４は、ネジ受け部４０５の成型によって形成されるもので、その意味ではスリットと呼称するのに代えて、前記ヒンジ金具４１２の取り付け用の挿入溝と言える。
【００９０】
また、前記縦スリット４０３が位置する連結台４０２の一側部（球集合板４６０の中心側に位置）に、該縦スリット４０３への前記ネジ止め部４０１Ｆの挿入後において外部に位置する前記支え部４０１Ｄに接当して支持する支持台部４０６が前記連結台４０２と一体的に形成されている。勿論、この支持台部４０６が連結台４０２と分離される構造としても、機能上問題はない。
更に、前記連結台４０２の横スリット４０４、４０４に対応する内部位置で、且つ、前記支持台部４０６の上面の延長線上で、前記ネジ連結部４０１の両側部を案内する細幅のガイドリブ４０７、４０７が夫々設けられている。
また、前記連結台４０２の内部で、前記ネジ連結部４０１が挿入される奥側の内面壁の幅方向略中央位置に、上下の方向に伸びる１本の補強リブ４０８が形成され、該補強リブ４０８の上端部が前記ネジ止め部４０１Ｆを下方から支持する位置に終端し、前記ネジ受け部４０５の下面との間にネジ止め部４０１Ｆを挿入できる間隙を残している。
【００９１】
上記開閉機構４１０の第１係合部４１４について述べる。
この第１係合部４１４は、前記ヒンジ金具４１２の後部連結体４０１Ｂと、支持面部４０１を介在させて、反対側に位置され、１枚の板状体で、先端が対向する鉤爪状の二股状係合片４１４Ａに構成されている。この二股状の係合片４１４Ａは、前記ヒンジ金具４１２の軸４１１と平行な方向に延び、従って、後述の連結台座部材４３０の第２係合部４３３との係合は、前記基板ケース２０１の幅方向（遊技機の上下の方向）に沿って行われることになる。
【００９２】
上記球集合板４６０については、その外周部の複数個所を遊技盤３０に対して固定するが、そのうちの少なくとも一つが固定解除できないように、破断ネジ等でするか、ビス留めしたあと、ビス頭部を覆うキャップを取り付けるようにする等して、球集合板４６０が遊技盤３０から容易に外されるのを防止する構造としてもよい。
そして、上記第１係合部４１４の係合片４１４Ａは、後述の第２係合部４３３の舌片４３３ａ、４３３ｂとでもって、第１係合部４１４の抜け出し防止の規制機構４４０を構成する。
【００９３】
次に、連結台座部材４３０について述べる。
この連結台座部材４３０は、前記開閉機構４１０と前記基板ケース２１０とにそれぞれ連結されるものであり、言わば従来から用いられていた基板ケース２０１を取り付けるための台座に相当するものであって、合成樹脂で成型されており、基板ケース２０１の第２ケース８５の一端側のコーナー（背面視、左下方位置のコーナー）に位置され、その基板ケース２０１の側面に沿う側の一部が開放され、区画壁を形成する補強のためのリブが多数設けられ、また、破断ネジを収容する収容部が形成されており、そこに破断ネジがセットされているが、周壁、リブの端面は同じレベルに形成され、第２ケース８５の側面に密着接当可能にされており、反対側の側面（スペーサー５０１側）は、略平坦に形成されている。因みに、ここでは、前記基板ケース２１０は、幅１５５ｍｍ、長さ３２０ｍｍ、厚み４０ｍｍ、肉厚２ｍｍである。
【００９４】
前記基板ケース２０１のうち、前記連結台座部材４３０と連結封止される部位である第１連結封止部４５０が、その第２ケース８５の一端側のコーナー（背面視、左下方位置のコーナー）に設けられており、ここでは該基板ケース２０１の幅方向に、所定の間隔を隔てて４個突設されている。この第１連結封止部４５０は、第１ケース７０の第１封止部７１と第２ケース８５の第２封止部８６との位置と平面視で位相がずれるように変位して配置されており、従って、基板ケース２０１を背面（遊技機の背面から）から見たときに、前記第１封止部７１と第２封止部８６に重なることなく、視認できる状態にある。
即ち、前記第１封止部７１と第２封止部８６の位置する側に前記第１連結封止部４５０及び第２連結封止部４３２が配置され、且つ、前記基板ケース２０１の背面視（正面）において、前記第１、及び第２連結封止部４５０、４３２（こちらは極一部が見える）が見えるように、前記第１、及び第２封止部７１、８６と平面位相をずらせて配置（４個が連続して直線状に並ぶ）されているのである。
【００９５】
そして、前記連結台座部材４３０には、前記基板ケース２０１の前記第１連結封止部４５０と連結封止される部位である第２連結封止部４３２が、ここでは、４個が、前記４個の第１連結封止部４５０と対応する位置に突設されている。そして、前記前記第１、及び第２連結封止部４５０、４３２は、破断ネジ（頭部が千切れる）を用いて連結封止されるが、そのネジは、第２ケース８５の側から挿入される。
【００９６】
前記連結台座部材４３０の内部に、前記開閉機構４１０の前記第１係合部４１４と係合する部位である第２係合部４３３が設けられる。この第２係合部４３３は、この実施例では、前記連結台座部材４３０の本体とは別体成型の後述する第２被覆部材４３０Ｂに取り付けられる。勿論、別体の第２被覆部材４３０Ｂが存在せず、第２係合部４３３Ａ，４３３Ｂが連結台座部材４３０の樹脂成型時に埋め込たり、或いは、それ自体の弾性変形を利用して、連結台座部材４３０に形成された挿入部４３４の内部に挿入設置されるように構成されてもよいものである。
【００９７】
前記第２係合部４３３は、ここでは、弾性を備えた一枚の薄い板体（鋼板）で構成され、その所定箇所を、前記第1係合部の進行方向側が遊端部となるように、コの字に打ち抜いて舌片４３３ａ，４３３ｂを形成し、該舌片４３３ａ，４３３ｂを、コの字の付け根部で曲げることで弾性係合爪を形成し、且つ、前記第１係合部４１４を金属製の平板状体で構成し、そこに先端が対向する鉤爪状の二股状の係合片４１４Ａを形成することによって、該係合片４１４Ａに前記舌片４３３ａ，４３３ｂの係合爪を係合させ、それぞれ抜け出し防止の規制機構４４０を構成しているのである。そして、前記開閉機構４１０の前記第１係合部４１４を挿入して前記連結台座部材４３０の内部の前記第２係合部４３３に係合させるために前記連結台座部材４３０に、挿入部４３４が形成されている。
【００９８】
このように、前記規制機構４４０は、前記第１係合部４１４と前記第２係合部４３３との係合において、前記開閉機構４１０の第１係合部４１４が前記挿入部４３４に挿入されて前記第２係合部４３３と係合されたあとにその挿入方向とは逆の抜き出す方向への移動を規制するものである。
【００９９】
ここで、更に、前記連結台座部材４３０について詳述言する。前記連結台座部材４３０は、前記基板ケース２０１よりも小さく構成され、前記基板ケース２０１のうち、上述のように基板ケース２０１の裏面側で一端側、即ち、一端側のコーナー（背面視、左下方位置のコーナー）に寄せて位置され、封止、連結されるように構成されているものである。前記第２係合部４３３を被覆するべく前記連結台座部材４３０には被覆部材４３０Aが備えられている。この被覆部材４３０Aは、前記連結台座部材４３０に組み合わせるよう別体構成とされ、且つ、その少なくとも一方、ここでは前記連結台座部材４３０に凹面が形成され、他方、即ち、被覆部材４３０Aに対向するよう組み合わせることで前記第１係合部を挿入するための前記挿入部４３４を形成している。具体的には、前記挿入部４３４は、その入口Ａが、入口側から内部に向かって幅狭となるようにテーパ状に形成され、且つ、挿入方向に沿って複数、ここでは４本の案内リブが形成されている。図中、４３０Dは、前記被覆部材４３０Aの側部に設けた係合突片であり、はめ込みに際して、前記連結台座部材４３０の対応する箇所に係合される。
【０１００】
そして、この被覆部材４３０Aに、前記第２係合部４３３が設けられるが、その第２係合部４３３の薄板を、被覆部材４３０Aに形成した係止突片４３０Ｃに、その入口４３４Ａの側からスライド挿入して係止させる。
前記被覆部材４３０Aは、前記連結台座部材４３０よりも小さく構成され、前記連結台座部材４３０と前記基板ケース２０１とが連結した状態においては、前記被覆部材４３０Aの取り外し方向側に前記基板ケース２０１が位置された状態となり、前記基板ケース２０１と前記連結台座部材４３０とにより被覆された状態となるように構成されているものである。
【０１０１】
更に、上述した通り、前記第１及び第２被覆部材４３０Ａ、４３０Ｂを透明樹脂により成型し、これらに被覆される第２係合部４３３Ｃ，４３３Ｄを金属製の係合部材により構成してある。図２０に示すように、前記基板ケース２０１の第２ケース８５の側面に、係止リブ４２０、４２０、４２０が前記連結台座部材４３０の略周部に沿って配置されて突出するように備えられ、該係止リブ４２０、４２０、４２０に所定の方向に移動、即ち、基板ケース２０１の裏面に沿って第１、第２連結封止部や第１連結部の位置する側から基板ケース２０１の中央側に向けてスライド移動させることによって係合する連結台座部材４３０のリブ係合部４３５が前記連結台座部材４３０の側部に設けられると共にその一つの係止リブ４２０が、前記連結台座部材４３０の収容部４３１の周壁の内側に形成されたリブ係合部４３６に係合するように設けられている。
【０１０２】
（主要な作用）
上述の如く構成された遊技機は、前面に遊技領域が形成された遊技盤３０と、遊技領域に設けられた遊技球が入球可能な始動口３３と、遊技盤３０の裏面に取り付けられると共に始動口３３に入球したのち遊技盤３０の裏面側に案内された遊技球を誘導し下方に排出する排出通路４６１が形成された球集合板４６０と、球集合板４６０に取り付けられた始動口３３に入球口した遊技球を検出可能な始動口センサＳ１と、始動口センサＳ１の検出に基づいて遊技者に有利な特別遊技状態を発生させるか否かの当否抽選を行うように制御される制御基板（ここでは主制御装置２６１の主制御基板）と、その主制御基板と始動口センサＳ１とを配線により連結させた始動口用ハーネスHとを備えおり、その始動口センサＳ１と前記始動口用ハーネスHとがコネクタＮ２により接続され、前記始動口センサＳ１に対する前記始動口用ハーネスHのコネクタＮ２の着脱方向の少なくとも一部を覆う被覆板４８０を備え、前記球集合板４６０と被覆板４８０とが球集合板４６０の前面側から固着されているものであるから、被覆板４８０の存在により、始動口用ハーネスHの取り外しによる偽物との取替え、或いは、別途擬似制御基板への接続といった不正による意図的な当否抽選或いは不正に当否抽選の回数を増やすといった事態を防止できるのである。
【０１０３】
そして、前記球集合板４６０と被覆板４８０とが球集合板４６０の前面側から固着されていることで、両者が固着され、遊技盤３０に取り付けられた後には被覆板４８０は外部から取り外しできないものであるから（固着部位が遊技盤３０と球集合板４６０との間で覆われる）、前述の始動口用ハーネスHに対する不正防止をより確実に行い得るのである。殊に、始動口センサＳ１の取り外し方向と始動口用ハーネスHのコネクタＮ２の着脱方向とが異なる場合であっても、少なくとも、始動口用ハーネスHの取り外しを確実に阻止できる。
【０１０４】
また、前面に遊技領域が形成された遊技盤３０と、遊技領域に設けられた遊技球が入球可能な始動口３３と、遊技盤３０の裏面に取り付けられると共に始動口３３に入球したのち遊技盤３０の裏面側に案内された遊技球を誘導し下方に排出する排出通路４６１が形成された球集合板４６０と、球集合板４６０に取り付けられた始動口３３に入球口した遊技球を検出可能な始動口センサＳ１と、始動口センサＳ１の検出に基づいて遊技者に有利な特別遊技状態を発生させるか否かの当否抽選を行うように制御される制御基板（ここでは主制御装置２６１の主制御基板）と、その主制御基板と始動口センサＳ１とを配線により連結させた始動口用ハーネスHとを備えており、前記球集合板４６０に取り付けられた始動口センサＳ１の取り外し方向の少なくとも一部を覆う被覆板４８０Aを備え、前記球集合板４６０と被覆板４８０Aとが球集合板４６０の前面側から固着されていることにより、被覆板４８０Aの存在により、始動口センサＳ１の取り外しによる偽物との取替え、或いは、別途擬似制御基板への接続といった不正による意図的な当否抽選或いは不正に当否抽選の回数を増やすといった事態を防止できる。
【０１０５】
そして、前記球集合板４６０と被覆板４８０Aとが球集合板４６０の前面側から固着されていることで、両者が固着され、遊技盤３０に取り付けられた後には被覆板４８０Aは外部から取り外しできないものであるから（固着部位が遊技盤３０と球集合板４６０との間で覆われる）、前述の始動口センサＳ１に対する不正防止をより確実に行い得るのである。
殊に、始動口センサＳ１の取り外し方向と始動口用ハーネスHのコネクタＮ２の着脱方向とが異なる場合であっても、少なくとも、始動口センサＳ１の取り外しを確実に阻止できるのである。
【０１０６】
更に、前記球集合板４６０が、排出通路４６１を備えた排出通路板部４６０Ａと、電気部品の取り付けを行う取付板部４６０Ｂとから成り、該取付板部４６０Ｂが排出通路板部４６０Ａの裏面側に重ねられ、前記被覆板４８０（４８０Ａ）が前記取付板部４６０Ｂに一体的に設けられている場合には、前記被覆板４８０（４８０Ａ）を、電気部品の取り付ける前記取付板部４６０Ｂと一体とすることにより、その取付板部４６０Ｂの取り付けで自動的に被覆板４８０（４８０Ａ）の取り付けを行い得るものである。
【０１０７】
また、前記取付板部４６０Ｂに中継基板取付部４７１Ａが設けられ、前記被覆板４８０Ａが該中継基板取付部４７１Ａの一部で構成されている場合には、前記被覆板４８０Ａと中継基板取付部４７１Ａとを兼用でき、構造の簡素化を図ることができる。
【０１０８】
更に、前記球集合板４６０が、排出通路４６１を備えた排出通路板部４６０Ａと、電気部品の取り付けを行う取付板部４６０Ｂとから成り、該取付板部４６０Ｂが排出通路板部４６０Ａの裏面側に重ねられ、前記被覆板が前記取付板部４６０Ｂとは別体で設けられ、該被覆板の少なくとも一部が前記排出通路板部４６０Ａと前記取付板部４６０Ｂとの間に挟持されることにより前記球集合板４６０と被覆板とが固着される場合には、被覆板を別途成型しておくことで、排出通路板部４６０Ａ及び取付板部４６０Ｂを簡単な構造に成型でき、始動口センサＳ１を装着後に被覆板を配置して前記排出通路板部４６０Ａと前記取付板部４６０Ｂとの間に挟持させればよく、部品点数が増えるが組み付け上は簡単である。この際、被覆板を前記排出通路板部４６０Ａ及び取付板部４６０Ｂの少なくとも一方に嵌合保持させる構造を採用すれば、組み付けは容易に行い得るものである。
【０１０９】
また、前記始動口センサＳ１の先端部側が排出通路板部４６０Ａに位置され、前記被覆板４８０Aが、前記始動口センサＳ１の後端部の後面、上下面、一側面を所定の間隔を隔てて被覆するように構成され、その後端部の他側面が開放されていて始動口用ハーネスHの取り出しに用いられるようにした場合には、始動口センサＳ１は、その全体の後端部の一側面のみが開放される状態で被覆板４８０Aにより被覆されていることで、始動口センサＳ１を不正に取り外すことが非常に困難となり、始動口センサＳ１の取替えなどの不正を防止できる。そして、この始動口センサＳ１に繋がる始動口用ハーネスHは、前記一側の開放部位から支障なく外部に取り出し、制御基板に接続できる。
【０１１０】
更に、前記球集合板４６０と被覆板４８０（４８０Ａ）とが球集合板４６０の前面側からネジ４８１により固着されてる場合には、球集合板４６０と被覆板４８０（４８０Ａ）とをネジによって球集合板４６０の前面側から止める方式であるので、両者の組み立てを簡単に行い得ると共に遊技盤３０への取り付けを外した場合には、そのネジ４８１を緩めることで、球集合板４６０と被覆板４８０（４８０Ａ）とを分離でき、始動口センサＳ１の取替え、メンテナンスを容易に行い得るものである。
【０１１１】
（その他の主要な作用）
上述のように構成したことで、即ち、特に、前記球集合板４６０が排出通路４６１を備えた排出通路板部４６１Ａと、前記ＬＥＤ基板Ｂ１、Ｂ２、Ｂ３、Ｂ４、Ｂ５を取り付ける取り付け部ｂ１、ｂ２、ｂ３、ｂ４、ｂ５を備えた取付板部４６１Ｂとから成り、前記球集合板４６０の少なくとも排出通路板部４６１Ａが光透過性樹脂により成形され、前記排出通路板部４６１Ａの排出通路４６１の後側に前記取り付け部がｂ１、ｂ２、ｂ３、ｂ４、ｂ５位置する状態で前後方向に重ねるように構成され、前記ＬＥＤ基板Ｂ１、Ｂ２、Ｂ３、Ｂ４、Ｂ５による照射が前記排出通路４６１を透過して前記装飾部材Ｄ１、Ｄ２、Ｄ３、Ｄ４、Ｄ５を照射するように構成されていることで、装飾部材Ｄ１、Ｄ２、Ｄ３、Ｄ４、Ｄ５が大型化し、結果として装飾部材Ｄ１、Ｄ２、Ｄ３、Ｄ４、Ｄ５と入賞口３１とが近くに配置せざるを得なくなり、その入賞口３１に繋がる球集合板４６０の排出通路４６１が装飾部材Ｄ１、Ｄ２、Ｄ３、Ｄ４、Ｄ５に対するＬＥＤ基板Ｂ１、Ｂ２、Ｂ３、Ｂ４、Ｂ５による照射の邪魔になることで、ＬＥＤ基板Ｂ１、Ｂ２、Ｂ３、Ｂ４、Ｂ５と装飾部材Ｄ１、Ｄ２、Ｄ３、Ｄ４、Ｄ５との位置関係を優先すると排出通路４６１を無理な曲折状態に設けざるを得なり、その結果、球詰まりの原因となるといった不都合があったものを、前記球集合板４６１を排出通路板部４６１Ａと取付板部４６１Ｂとの分割構成とし、少なくともその排出通路板部４６１Ａを透明な素材で構成し、ＬＥＤ基板Ｂ１、Ｂ２、Ｂ３、Ｂ４、Ｂ５を、その排出通路４６１の後側の取付板部４６１Ｂの側に設けるようにしたことで、排出通路４６１の存在が照射の邪魔にならなくなり、その排出通路板部４６１Ａを透過して前方の装飾部材Ｄ１、Ｄ２、Ｄ３、Ｄ４、Ｄ５を十分に照射できる。従って、排出通路位置に関係なく取付板部４６１Ｂの所望の位置にＬＥＤ基板Ｄ１、Ｄ２、Ｄ３、Ｄ４、Ｄ５を設けることができ、排出通路４６１を無理な形状に構成しなくても済み、球詰まりも未然に回避できるのである。
また、必要に応じて、入賞口３１近くの背後にＬＥＤ基板Ｂ１、Ｂ２、Ｂ３、Ｂ４、Ｂ５を配置することも可能であり、入賞口３１の近傍に装飾部材Ｄ１、Ｄ２、Ｄ３、Ｄ４、Ｄ５が設けられる場合にも、十分な発光演出を行うことが可能である。
【０１１２】
そして、前記取付板部４６１Ｂの裏面側に前記取り付け部ｂ１、ｂ２、ｂ３、ｂ４、ｂ５が設けられ、該取り付け部ｂ１、ｂ２、ｂ３、ｂ４、ｂ５に前記ＬＥＤ基板Ｂ１、Ｂ２、Ｂ３、Ｂ４、Ｂ５が裏面側から着脱自在となるように設けられていることで、ＬＥＤ基板Ｂ１、Ｂ２、Ｂ３、Ｂ４、Ｂ５に対するメンテナンス乃至交換に際して、遊技機の裏面側から行うことが可能となり、点検、交換作業を便利に行うことができる。
また、前記取付板部４６１Ｂの裏面側に中継基板取付部４７１が設けられ、該中継基板取付部４７１に対して中継基板４７０を裏面側から着脱できるように構成されていることで、取付板部４６１Ｂに中継基板取付部４７１が設けられ、該中継基板取付部４７１に対して中継基板４７０を裏面側から着脱できるように構成したことで、中継基板４７０に対するハーネスのコネクタ組み付け作業が随時に行い得て容易となると供に中継基板４７０に対するメンテナンス、取替え作業も容易に行い得る。
【０１１３】
そして、前記排出通路板部４６０Aに中継基板取付部４７１が設けられ、前記取付板部４６０Bに覆い部４７２が設けられ、該覆い部４７２が前記中継基板取付部４７１の中継基板４７０を覆うように前記排出通路板部４６０Aと取付板部４６０Bとの間に中継基板４７０が配置されていることにより、中継基板４７０に対する不正を極力回避することができる。このような構成であるので、前記排出通路板部４６０Aと、前記取付板部４６０Bとの重ね合わせの組み付けは、前記中継基板取付部４７１に設けた中継基板４７０に各種のコネクタを差し込んだ状態で行うことになる。
【０１１４】
また、前記覆い部４７２が前記中継基板４７０のコネクタ取り外し側を覆うように構成されている場合には、中継基板４７０のコネクタが不正に引き抜かれるのを阻止し、これにより、コネクタ引き抜きにより別途敷設の不正のための偽装制御基板への接続を可能にするのを未然に回避することができる。
【０１１５】
更に、前記取付板部４６０Bが、前記排出通路板部４６０Aに対して、その前側からネジ止めされ、そのネジ止めが被覆される状態で前記排出通路板部４６０Aが前記遊技盤３０の裏面に固定されることで、即ち、その両者の接合を前記排出通路板部４６０Aの前側からネジ止めするようにしたことで、一旦、球集合板４６０が遊技盤３０に取り付けられれば、そのネジ止めは遊技盤３０と前記排出通路板部４６０Aとによって被覆されることになり、これにより、裏面側から取り外して不正が行われるのを回避できる。
【０１１６】
前記ＬＥＤ基板Ｂ１、Ｂ２、Ｂ３、Ｂ４、Ｂ５を取り付ける取り付け部ｂ１、ｂ２、ｂ３、ｂ４、ｂ５が前記取付板部４６０Bの裏面側に設けられていることで、取り付け部ｂ１、ｂ２、ｂ３、ｂ４、ｂ５に取り付けられる前記ＬＥＤ基板Ｂ１、Ｂ２、Ｂ３、Ｂ４、Ｂ５は、裏面側から点検、交換作業が容易となる。
【０１１７】
また、上述のように、前記基板ケース２０１を、前記球集合板４６０の少なくとも一部を被覆する状態と露出する状態とに開閉するための開閉機構４１０が設けられ、前記開閉機構４１０と前記基板ケース２０１とにそれぞれ連結される連結台座部材４３０が設けられ、更に、前記基板ケース２０１は、前記連結台座部材４３０と連結封止される第１連結封止部４５０を備え、前記連結台座部材４３０は、前記基板ケース２０１と連結封止される第２連結封止部４３２と前記開閉機構４１０に対する第２係合部４３３とを備え、前記開閉機構４１０は、前記第２係合部４３３に係合する前記第１係合部４１４と、開閉のための軸を有するヒンジ金具４１２とを備え、該ヒンジ金具４１２の一方がネジ連結部４０１を有し、前記開閉機構４１０の第１係合部４１４と前記連結台座部材４３０の第２係合部４３３は、両者が一旦係合された後は破壊等強制解除の痕跡を残すことなく解除できないように構成されており、前記ネジ連結部４０１が、前記球集合板４６０に対して、その表面側からネジ止めされ、前記球集合板４６０が遊技盤３０の裏面に固定された後には前記ネジ連結部４０１のネジ連結が解除できないようにすると共に該ネジ連結の解除が可能であることで前記球集合板４６０を破壊することなく前記ヒンジ金具４１２を取り外し可能としたことにより、遊技機の開閉式の基板ケース２０１のヒンジ金具４１２の取り付けをネジで行いながら組み付け完了後は取り外し不能として不正対策に寄与でき、また、必要に応じて球集合板４６０を破壊しないでネジを取り外すことで、球集合板４６０から取り外し可能とし、リサイクル性を向上させることができるのである。
【０１１８】
そして、前記球集合板４６０の裏面に、遊技機裏面側に向けて突出する連結台４０２が、その前面側に空間を形成する状態で一体成型により設けられており、前記ネジ連結部４０１は、前記開閉のための軸を貫設した前部連結体４０１Ａ、４０１Ａと、該前部連結体４０１Ａ、４０１Ａに一体のネジ止め部４０１Ｆとを有し、前記連結台４０２には、前記ネジ連結部４０１のネジ止め部４０１Ｆ及び前部連結体４０１Ａ、４０１Ａを挿入するための縦スリット４０３が、遊技盤の平面に略平行な方向で形成され、また、前記ネジ連結部４０１の前部連結体４０１Ａ、４０１Ａを挿入するための横スリット４０４、４０４が、遊技盤３０の平面に略直行する方向で前記横スリット４０４、４０４に連続する状態で形成され、且つ、前記連結台４０１の上部に前記ネジ止め部４０１Ｆを前面側からの羅合で支持するネジ受け部４０５が設けられていることで、球集合板４６０にヒンジ金具４１２（ネジ止め部４０１Ｆと前部連結体４０１Ａ、４０１Ａ）の取り付けを行うに、成型ではあるが台構造とし、ヒンジ金具４１２の位置を所要高さに設定できながら該連結台４０２に縦、横スリット４０３、４０４、４０４を形成して差し込むように構成したことによって、連結台４０１の強度を確保し、且つ、ヒンジ金具４１２を球集合板４６０と一体成型するのではなく後付けできるようにするものでありながら、ヒンジ金具４１２の一部を連結台４０１の内側においてネジ止めでき、遊技機の前面側からのネジ止めで遊技盤３０に対する球集合板４６０の取り付け後は外部からネジを外せないようにすることができた。これによって、破断ネジを用いる必要もなく、又、ヒンジ金具４１２を一体成型で埋め込んでしまうことなく、必要に応じて取り外しすることができる。
【０１１９】
また、前記ネジ受け部４０５は、前記縦スリット４０３及び横スリット４０４、４０４を形成するようにして前記連結台４０１の上部に、その一側部で片持ち支持されるように一体成型されており、前記ネジ連結部４０１は、前記ネジ止め部４０１Ｆに連続して延設された支え部４０１Ｄを有し、前記縦スリット４０３が位置する連結台４０２の一側部に、該縦スリット４０３への前記ネジ止め部４０１Ｆの挿入後において外部に位置する前記支え部４０１Ｄに接当して支持する支持台部４０６が前記連結台４０１と一体的に形成されていることにより、ヒンジ金具４１２を差込方式で後付けできるように、前記縦スリット４０３及び横スリット４０４、４０４を形成したことで、そのネジ受け部４０５は結果として片持ち支持される構造となり、その為、ここにネジ止めされたヒンジ金具４１２のネジ連結部４０１に、その前部連結体４０１Ａ、４０１Ａを介して伝わる基板ケース２０１等の荷重（基板ケース２０１の特に閉鎖時にも曲げモーメントが作用する）が、その片持ち支持のネジ受け部４０５を連結台内方に向けて折るように作用することになるのであるが、これを、前記支え部４０１Ｄを介して、前記支持台部４０６で受け止め、前記ネジ受け部４０５が撓まないように支持することができるのである。この際、前記支持台部４０６が前記連結台４０１と一体的に形成されていることで、十分な強度でもって、荷重に対向してネジ受け部４０５を保護できるのである。
【０１２０】
更に、前記ネジ連結部４０１のネジ止め部４０１Ｆは、平板状体で構成され、その一端部の両側部から前部連結体４０１Ａ、４０１Ａが、側面視でコの字型を呈するように、夫々折り曲げ形成されているので、ヒンジ金具４１２のネジ連結部４０１を、平板状体を折り曲げた簡単な構造で得ることができると共にコの字型として支持強度を発揮させることができる。
そして、前記ヒンジ金具４１２の他方が後部連結体４０１Ｂ、４０１Ｂを有し、該後部連結体４０１Ｂ、４０１Ｂは、これに一体の支持面部４０１Ｃを介して、前記第１係合部４１４に繋がり、前記支持面部４０１Ｃが前記連結台座部材４３０の側面を接当支持しているので、ヒンジ金具４１２の他方が後部連結体４０１Ｂ、４０１Ｂを有し、これに支持面部４０１Ｃが一体となっていて、この部分が連結台座部材４３０の側面に接当されることで、基板ケース２０１の開閉に際して、この支持面部４０１Ｃを介して開閉力を伝達できて、第２係合部４３３のみに力が作用することがないようにして、支持力を分散させることができるのである。
【０１２１】
また、前記基板ケース２０１よりも前方側において、スペーサー５０１が、前記球集合板４６０を直接に被覆する状態と露出する状態に開閉するように、前記基板ケース２０１の前記ヒンジ金具４１２とは反対側において回動自在に設けられ、前記ヒンジ金具４１２には補強体４０１Ｅが設けられ、前記スペーサー５０１及び基板ケースの被覆状態において、該補強体４０１Ｅが前記スペーサー５０１の一部（凹部）に入りこんでいることにより、スペーサー５０１により球集合板４６０が被覆される構成において、前記ヒンジ金具４１２の補強体４０１Ｅがスペーサー５０１の一部に入り込む構造としたことで、ヒンジ金具４１２に加わる荷重を、スペーサー５０１に伝達して分散支持させることが出来るのである。尚、この補強体４０１Ｅのスペーサー５０１への入り込みとしては、スペーサー５０１に凹部を形成してもよく、壁面にスリットを形成してもよく、荷重が作用したときの僅かの撓みにより生じる接当状態で支持作用が得られればよくて、常時接触状態でなくともよい。
【０１２２】
更に、前記連結台４０２の横スリット４０４、４０４に対応する内部位置で、且つ、前記支持台部４０６の上面の延長線上で、前記ネジ連結部４０１の両側部を案内するガイドリブ４０７、４０７が夫々設けられているので、ヒンジ金具４１２のネジ連結部４０１を縦、横スリット４０３、４０４、４０４を通して連結台４０２に挿入する際に、そのネジ連結部４０１のネジ止め部４０１Ｆとこれに連続して延設された支え部４０１Ｄを前記支持台部４０６の上面に載せ、滑らせて挿入して行くと、その支持台部４０６の上面を過ぎたところからは、そのネジ止め部４０１Ｆの両側部分を前記ガイドリブ４０７、４０７に乗せて案内させながら連結台４０２の内部へとスムースに挿入することができる。
【０１２３】
また、前記連結台４０２の内部で、前記ネジ連結部４０１が挿入される奥側の内面壁の幅方向略中央位置に、上下の方向に伸びる補強リブ４０８が形成され、該補強リブ４０８の上端部が前記ネジ止め部４０１Ｆを下方から支持する位置に終端しているので、ネジ連結部４０１を連結台４０２の内部に挿入したときに位置を安定させることができ、以って、ネジ止め部４０１Ｆのネジ受け部４０５に対するネジ止め作業を楽に行い得ると共にネジ連結部４０１の端部を支持することでのネジ受け部４０５の荷重による撓みに対向することができるのである。
【０１２４】
そして、前記基板ケース２０１の一側部側に位置する前記ヒンジ金具４１２の後部連結体４０１Ｂ、４０１Ｂは、前記基板ケース２０１の一側部側に位置する前記前部連結体４０１Ａ、４０１Ａの外側に位置されて軸支され、該後部連結体４０１Ｂ、４０１Ｂから第１係合部４１４にかけてその横断面がＬ型に形成され、前記第１係合部４１４が前記後部連結体４０１Ｂ、４０１Ｂから所定距離離れた位置に設けられているので、ヒンジ金具４１２による基板ケース２０１の支えを、基板ケース２０１の長手方向の略中間部側にすることによって、例えば基板ケース２０１の長手方向側の端部での連結支持に比べて、安定支持できることになるが、そのために前記第１係合突片部４１４を後部連結体４０１Ｂ、４０１Ｂから所定距離だけ離すようにする必要があり、この部分をＬ型構造とすることで、出来るだけ軽量化しながら十分な強度を付与できて、基板ケース２０１の支持を強固に安定させることができるのである。
【０１２５】
また、前記ヒンジ金具４１２の２本の軸４１１、４１１は、夫々カシメにより前記前部連結体４０１Ａ、４０１Ａ及び前記後部連結体４０１Ｂ、４０１Ｂに対して位置固定されるものであるから、その連結は一端行われると解除できないものであり、これにより、ネジ連結などのヒンジ金具では容易に分離されて基板ケースを取り替えられてしまう危険性を回避できることになり、このヒンジ金具４１２をターゲットとした不正を回避できるものである。
【０１２６】
（球集合板の変形例の１）
図２１乃至図２４に示すように、球集合板４６０が、排出通路板部４６０Ａと取付板部４６０Ｂとの二層構造（遊技機表裏の方向）となっている点は、上記実施例と同じである。そして、上記実施例では、前記始動口用ハーネスHのコネクタＮ２の着脱方向の少なくとも一部を覆う被覆板４８０を備えているのに対し、ここでは、前記球集合板４６０に取り付けられた始動口センサＳ１の取り外し方向の少なくとも一部を覆う被覆板４８０Aを備えている。また、前記球集合板４６０と被覆板４８０Aとが球集合板４６０の前面側から固着されている点についても、先の実施例と同様である。
【０１２７】
ここでは、前記取付板部４６０Ｂに中継基板取付部４７１Aが設けられ、前記被覆板４８０Aが該中継基板取付部４７１Aの一部、即ち、中継基板取付部４７１Aの底板部で構成されている。この中継基板取付部４７１Aは、並置された中継基板取付部４７０よりも小型の中継基板を設置できる構造のものであるが、構造的には中継基板取付部４７０と同様の載置台形のもので、その上面（遊技機の裏面側）に中継基板を載置できる凹部を備えている。
前記中継基板取付部４７１Aが、このような載置台形のものであるので、前記被覆板４８０Aとしては、前記始動口センサＳ１の後端部の後面、上下面、一側面を所定の間隔を隔てて被覆することになる。また、その始動口センサＳ１の後端部の他側面が開放されていて始動口用ハーネスHの取り出しに用いられる構成となっている。
【０１２８】
また、中継基板４７０を取り付ける中継基板取付部４７１が、取付板部４６０Ｂではなく、排出通路板部４６０Ａの側に設けられている。そして、前記取付板部４６０Ｂの側には、中継基板取付部４７１の中継基板４７０を被覆するように、覆い部４７２が設けられている。従って、この覆い部４７２が前記中継基板取付部の中継基板４７０を覆うように、前記排出通路板部４６０Ａと取付板部４６０Ｂとの間に中継基板４７０が配置されていることになる。
【０１２９】
この変形例においても、前記球集合板４６０の排出通路板部４６０Ａと取付板部４６０Ｂとは光透過性樹脂により成形され、前記排出通路板部４６０Ａの排出通路４６１の後側に前記ＬＥＤ基板Ｂ１、Ｂ２、Ｂ３、Ｂ４、Ｂ５の取り付け部b１、b２、ｂ３、ｂ４、ｂ５が設けられ、少なくともこれらＬＥＤ基板Ｂ１、Ｂ２、Ｂ３、Ｂ４、Ｂ５の一部が重なる状態で配置され、前記ＬＥＤ基板Ｂ１、Ｂ２、Ｂ３、Ｂ４、Ｂ５による照射が前記排出通路４６１を透過して前方の装飾部材Ｄ１、Ｄ２、Ｄ３、Ｄ４、Ｄ５に到達するものである。この際、前記排出通路板部４６０Ａと取付板部４６０Ｂは、両方が光透過性樹脂で成型されなくとも、少なくとも排出通路板部４６０Ａの方が光透過性樹脂で構成されればよい。
【０１３０】
上述の覆い部４７２を設けて中継基板４７０を被覆することで、中継基板４７０に対する不正を極力回避することができる。前記排出通路板部４６０Ａと、前記取付板部４６０Ｂとを重ね合わせることで、中継基板取付部４７１が覆い部４７２によって被せられることになるので、その中継基板取付部４７１に設けた中継基板４７０に各種のコネクタを差し込んだ状態で前記両板部（４６０Ａ、４６０Ｂ）を重ね合わせる組み付け方法が採られることになる。
尚、前記覆い部４７２は、その上方側が開放されているが、ここは、コネクタのハーネスを取り出すための開口となる。
また、前記排出通路板部４６０Ａが遊技盤３０に直接固定され、前記取付板部４６０Ｂは、この排出通路板部４６０Ａの裏面に嵌合され、この正面側からネジ止めされている点は、先の実施例と同じである。
【０１３１】
（球集合板の変形例の２）
この変形例においては、図示省略するが、前記球集合板４６０が、排出通路４６１を備えた排出通路板部４６０Ａと、電気部品の取り付けを行う取付板部４６０Ｂとから成り、該取付板部４６０Ｂが排出通路板部４６０Ａの裏面側に重ねられ、この正面側からネジ止めされている点は、先の実施例と同じである。
しかし、ここでは、前記被覆板が前記取付板部４６０Ｂとは別体で設けられ、被覆板の少なくとも一部が前記排出通路板部４６０Ａと前記取付板部４６０Ｂとの間に挟持されることにより前記球集合板４６０と被覆板とが固着される。この際、当然ながら、その被覆板は、前記始動口センサＳ１の取り外し方向の少なくとも一部を被覆する。また、始動口用ハーネスHのコネクタＮ２の着脱方向の少なくとも一部を覆うように敷設してもよい。
尚、この際、取付板部４６０Ｂ或いは排出通路板部４６０Ａの何れか一方に、其の被覆板の一部を嵌合させる嵌合部を形成しておいて、ここに暫定的に嵌め込み、しかる後に、取付板部４６０Ｂ或いは排出通路板部４６０Ａとを合わせて両者を固定し、以って、両者間に挟持するようにするのが好ましい。
このように、前記被覆板を、前記取付板部４６０Ｂ或いは排出通路板部４６０Ａと一体成形とせずに、別体とすることで、前記取付板部４６０Ｂ或いは排出通路板部４６０Ａの構造を簡素化して成形を行い易くできる。尚、被覆板の別体成形により部品点数としては増えることになるが、組み付けには支障のないものである。
【産業上の利用可能性】
【０１３２】
本発明は、球集合板を備えた遊技機であれば、適宜実施可能であり、その適用範囲は広いものである。
【符号の説明】
【０１３３】
３０：遊技盤
４６０：球集合板
４６０A:：排出通路板部
４６０B：取付板部
４８０：被覆板
４８０A：被覆板（変形例）
Ｓ１：始動口センサ
Ｈ：始動口用ハーネス
Ｎ２：コネクタ
【図１】
2018020253.tif 000003
【図２】
2018020253.tif 000004
【図３】
2018020253.tif 000005
【図４】
2018020253.tif 000006
【図５】
2018020253.tif 000007
【図６】
2018020253.tif 000008
【図７】
2018020253.tif 000009
【図８】
2018020253.tif 000010
【図９】
2018020253.tif 000011
【図１０】
2018020253.tif 000012
【図１１】
2018020253.tif 000013
【図１２】
2018020253.tif 000014
【図１３】
2018020253.tif 000015
【図１４】
2018020253.tif 000016
【図１５】
2018020253.tif 000017
【図１６】
2018020253.tif 000018
【図１７】
2018020253.tif 000019
【図１８】
2018020253.tif 000020
【図１９】
2018020253.tif 000021
【図２０】
2018020253.tif 000022
【図２１】
2018020253.tif 000023
【図２２】
2018020253.tif 000024
【図２３】
2018020253.tif 000025
【図２４】
2018020253.tif 000026
【図２５】
2018020253.tif 000027
【図２６】
2018020253.tif 000028